(57)【要約】      （修正有）【課題】回転盤底面に分布して設置された複数の電磁石の磁気極性を制御し、回転盤を円滑に旋廻または停留させることができる定点停留式食卓用回転盤を提供する。【解決手段】回転盤２の底面に分布して設置された複数の電磁石５を利用し、制御インターフェース４でこれら複数の電磁石の吸引を制御して、複数の電磁石が吸引するときに発生する磁力と食卓上に設置された磁性部材６を相互に吸引または反発させ、回転盤の旋廻または一定時間の停留を行わせる。【選択図】図２
0003149302.tif 000002
【実用新案登録請求の範囲】
【請求項１】
食卓上に設置された回転盤と、
前記回転盤を動かし、回転させるために用いる駆動モーターと、
前記回転盤の底面に平均的に分布して設置された複数の電磁石と、
前記駆動モーターの回転速度と、前記複数の電磁石の吸引時間を制御する制御インターフェースと、
前記食卓上に配置された１つ以上の磁性部材を含み、
前記制御インターフェースにより前記電磁石の磁気極性を制御し、電磁石の磁力発生時に発生する磁力と前記磁性部材を相互に吸引または反発させ、前記回転盤を旋廻または停留させることを特徴とする、
定点停留式食卓用回転盤。
【請求項２】
前記磁性部材が、そのものが磁力を有する磁石であることを特徴とする、請求項１に記載の定点停留式食卓用回転盤。
【請求項３】
前記磁性部材が、食事をする人の人数に基づいて数量を増減可能であることを特徴とする、請求項１に記載の定点停留式食卓用回転盤。
【考案の詳細な説明】
【技術分野】
【０００１】
本考案は定点停留式食卓用回転盤に関し、特に、回転盤の旋廻と定点一時停留を可能にした、定点停留式食卓用回転盤に関するものである。
【背景技術】
【０００２】
一般に宴会やディナーパーティ、または人数が比較的多い食事会などでは、食卓のテーブル面が大きく、料理を並べた後取りにくく、不便である。
そのため、往々にして食卓上に回転盤を設置し、食事をする人が回転盤を回転させて順に料理を取るようにしているが、回転盤は手動方式で回転させる必要があり、回転盤上に並べられた料理の重量が重かったり、不均等である場合など、手動の力では制御や回転が容易ではなく、料理がこぼれたりすることがよくある。
従来の回転盤は食事をする人にとって不便で、食事が不愉快になってしまうだけでなく、食事をする人が回転盤を回転させて料理を取るのを遠慮してしまい、食事を楽しめないことが往々にある。
【０００３】
本考案は上述した問題点を解決するために成されたものである。
【考案の概要】
【考案が解決しようとする課題】
【０００４】
本考案は上述した欠点に鑑みて、関連資料を収集し、多方面の評価と考慮を経て、関連産業において蓄積した長年の経験に基づき試作と修正を重ね、ついにこの回転盤が旋廻するだけでなく、これを制御して一定時間停留させることができるようにしたものである。
【０００５】
本考案の主な目的は、制御インターフェースにより回転盤底面に分布して設置された複数の電磁石の磁気極性を制御し、前記複数の電磁石が発生する磁力と磁性部材を相互に吸引または反発させて、回転盤を旋廻または停留させることができる、定点停留式食卓用回転盤を提供することにある。
【０００６】
本考案の別の目的は、回転盤下側に設置された駆動モーターで回転盤を旋廻させるほか、回転盤底面に分布して設置された複数の電磁石の磁気極性と食卓上の複数の磁性部材の極性が相互に反発し合うとき、同時に発生する反作用力で回転盤の旋廻をより円滑にすることができる、定点停留式食卓用回転盤を提供することにある。
【課題を解決するための手段】
【０００７】
本願の第１の考案は、食卓上に設置された回転盤と、前記回転盤を動かし、回転させるために用いる駆動モーターと、前記回転盤の底面に平均的に分布して設置された複数の電磁石と、前記駆動モーターの回転速度と、前記複数の電磁石の吸引時間を制御する制御インターフェースと、前記食卓上に配置された１つ以上の磁性部材を含み、前記制御インターフェースにより前記電磁石の磁気極性を制御し、電磁石の磁力発生時に発生する磁力と前記磁性部材を相互に吸引または反発させ、前記回転盤を旋廻または停留させることを特徴とする、定点停留式食卓用回転盤を提供する。
本願の第２の考案は、前記磁性部材が、そのものが磁力を有する磁石であることを特徴とする、前記第１の考案の定点停留式食卓用回転盤を提供する。
本願の第３の考案は、前記磁性部材が、食事をする人の人数に基づいて数量を増減可能であることを特徴とする、前記第１の考案の定点停留式食卓用回転盤を提供する。
【考案の効果】
【０００８】
本考案は制御インターフェースにより回転盤底面に分布して設置された複数の電磁石の磁気極性を制御し、前記複数の電磁石が発生する磁力と磁性部材を相互に吸引または反発させて、回転盤を旋廻または停留させることができる。そのため、食事をする人が順に回転盤上の料理を取って、食事の楽しみを増進することができる
回転盤下側に設置された駆動モーターで回転盤を旋廻させるほか、回転盤底面に分布して設置された複数の電磁石の磁気極性と食卓上の複数の磁性部材の極性が相互に反発し合うとき、同時に発生する反作用力で回転盤の旋廻をより円滑にすることができる。
【図面の簡単な説明】
【０００９】
【図１】本考案に係る定点停留式食卓用回転盤の立体図である。
【図２】本考案に係る定点停留式食卓用回転盤の立体分解図である。
【図３】本考案に係る定点停留式食卓用回転盤の実施例図１である。
【図４】本考案に係る定点停留式食卓用回転盤の実施例図２である。
【図５】本考案に係る定点停留式食卓用回転盤の実施例図３である。
【図６】本考案に係る定点停留式食卓用回転盤の実施例図４である。
【考案を実施するための形態】
【００１０】
上述の目的及び効果を達するため、本考案が採用する技術手段及び構造について、以下、本考案の実施例と図面に基づきその特徴と機能を詳細に説明する。
【００１１】
図１と図２に本考案に係る定点停留式食卓用回転盤の立体外観図と立体分解図をそれぞれ示す。
これらの図からはっきりとわかるように、本考案に係る定点停留式食卓用回転盤は食卓１、回転盤２、駆動モーター３、制御インターフェース４、複数の電磁石５、複数の磁性部材６、および導線７を含む。
そのうち、前記回転盤２の底面に前記駆動モーター３が設置され、かつ辺縁に平均的に分布させた前記複数の電磁石５が設置される。
前記食卓１の一側に前記制御インターフェース４が設置され、前記導線７が前記駆動モーター３と複数の電磁石５に接続され、前記食卓１上に複数の磁性部材６が設置される。
【００１２】
図２、図３、図４、図５、図６に本考案に係る定点停留式食卓用回転盤の実施例図を示す。
これらの図からはっきりとわかるように、まず食事をする人の人数に基づき食卓１上に複数の磁性部材６を配置する。
食事開始時、前記食卓1辺縁に設置された制御インターフェース４をオンにして調整し、回転盤２下側に設置された駆動モーター３で回転盤２を一定速度で旋廻させる。
これと同時に、制御インターフェース４で回転盤２底面に分布して設置された複数の電磁石５の磁気極性を制御し、食卓１上に配置された複数の磁性部材６そのものがすでに磁力を有する磁石であるため、電磁石５の磁気極性と食卓１上の磁性部材６の極性が相互に吸引し合うとき、回転盤２が旋廻を停止し、食事をする人が目の前にある料理を取ることができる。
電磁石５の磁気極性が変わると、前記食卓１上の磁性部材６と極性が相互に反発し合い、回転盤２が旋廻を継続し、かつ電磁石５と磁性部材の相互反発で発生する反作用力により、回転盤２の旋廻をより円滑にすることができる。
【００１３】
上述の複数の電磁石５の磁気極性を変化させ、複数の磁性部材６の極性との間で相互に吸引または反発させ、回転盤２の旋廻と停留の動作を繰り返し行い、食事をする人が順に回転盤２上の料理を取り、食事の楽しみを増進することができる。
【符号の説明】
【００１４】
１        食卓
２        回転盤
３        駆動モーター
４        制御インターフェース
５        電磁石
６        磁性部材
７        導線
【図１】
0003149302.tif 000003
【図２】
0003149302.tif 000004
【図３】
0003149302.tif 000005
【図４】
0003149302.tif 000006
【図５】
0003149302.tif 000007
【図６】
0003149302.tif 000008